(57)【特許請求の範囲】
【請求項１】
外観視直方体で前面側ではスピーカーからの音を放音可能に構成すると共に、その背面側にキャビネット開閉機構を設けたギターアンプキャビネットにおいて、
前記開閉機構は、
前記キャビネットの背面側に設けた横長の開口部をキャビネット内側から臨む状態で縦方向に延在するように設けた平面部材と、この開口部に嵌るようにされた横長の閉塞用部材との双方に、面型の着脱用素材を設けて構成され、前記平面部材は、前記横長の開口部の左右両端部において、その一部が開口部側にはみ出すようにして、前記開口部の短手方向に延在させて設け、
更に、
前記平面部材に横長の溝を複数設け、更に、前記閉塞用部材がいずれの溝にも嵌るように構成されたことを特徴とするギターアンプキャビネット。
【発明の詳細な説明】
【技術分野】
【０００１】
本発明は、ギターアンプキャビネットの構造の改良に関する。
【背景技術】
【０００２】
従来から、スピーカーをその前面に取り付けてなる箱体の構造を工夫したものが様々提案されていた。例えば、この箱体に取り付けられているスピーカー前面側の反対側に、後方から視認可能に各種文字等を表示する表示体を設け、この表示体の視認角度を調整可能としたもの等が提案されていた（例えば、特許文献１参照）。ところで、ギターアンプキャビネット（以下単に「キャビネット」とも称する）も箱体前面にスピーカーが取り付けられて構成され、この従来例について図４を参照して簡単に説明する。図４は、図１に示す外観直方体のギターアンプキャビネット１００におけるＡＡ方向の断面図である。キャビネット１００の背面側には不図示の蝶番を用いて開閉動作を可能にする扉１０１を設けており、通常は扉１０１を閉めてキャビネット１００の背面と平坦になるようにされている。一方、必要時には扉１００を開けて、キャビネット内部に設けられている不図示のパーツや電池交換等を行えるようになっている。
【０００３】
【特許文献１】実開平１−１５９４８８号公報（第１−２頁、第１図）
【発明の開示】
【発明が解決しようとする課題】
【０００４】
しかしながら、このようなギターアンプキャビネット１００はスピーカー部６を内蔵しているため、総てのパーツ（電子部品、各種部材等）がスピーカー部６の振動に伴って上下振動されてしまい、パーツが共振するとそれがギターの楽音信号と混ざって不快な楽音信号を放音してしまうといった問題があった。そして、特に、蝶番等の可動部材は共振をおこし易いため、不快な音楽信号を放音しやすいといった課題があった。更に、スピーカーからの放音方向を演奏者の足元方向等に変更することを簡単な機構で実現することが望まれていた。
【０００５】
本発明は、かかる従来の課題を解決するためになされたもので、パーツや蝶番等の振動による不快な音の放音を低減するギターアンプキャビネットを提供することを目的とする。更に、本発明の他の目的は、簡単な構造で放音方向を変化可能なギターアンプキャビネットを提供することにある。
【課題を解決するための手段】
【０００６】
上記目的を達成するために、本発明は、外観視直方体で前面側ではスピーカーからの音を放音可能に構成すると共に、その背面側にキャビネット開閉機構を設けたギターアンプキャビネットにおいて、
前記開閉機構は、
前記キャビネットの背面側に設けた横長の開口部をキャビネット内側から臨む状態で縦方向に延在するように設けた平面部材と、この開口部に嵌るようにされた横長の閉塞用部材との双方に、面型の着脱用素材を設けて構成され、前記平面部材は、前記横長の開口部の左右両側において、その一部が開口部側にはみ出すようにして、前記開口部の短手方向に延在させて設け、
更に、
前記平面部材に横長の溝を複数設け、更に、前記閉塞用部材がいずれの溝にも嵌るように構成されていることを特徴とするようにした。
【０００７】
この発明によれば、キャビネットの背面側に設けた開閉機構を、キャビネットの背面側に設けた横長の開口部をキャビネット内側から臨む状態で縦方向に延在するように設けた平面部材と、この開口部に嵌るようにされた横長の閉塞用部材との双方に、面型の着脱用素材を設けて構成したので、キャビネット背面部における開閉を簡単な構造で実現可能とすると共に、面型の着脱用素材の緩衝作用によって各種パーツの共振作用も抑制することが可能となる。
【０００８】
そして、前記平面部材に横長の溝を複数設け、更に、前記閉塞用部材がいずれの溝にも嵌るように構成されたことを特徴としているので、簡単な構造でキャビネットの傾きを変えて放音方向が、演奏者の足元近傍とすることができる。
【発明の効果】
【０００９】
本発明によれば、内蔵されるパーツ等の振動による不快な音の放音を低減するギターアンプキャビネットを実現することができるという効果が得られる。更に、簡単な構造で放音方向を変化可能なギターアンプキャビネットを提供することができるという効果も得られる。
【発明を実施するための最良の形態】
【００１０】
以下、本発明を実施するための最良の形態を図面を参照しつつ説明する。
【００１１】
図１はギターアンプキャビネット１の外観斜視図であり、図２はギターアンプキャビネット１の背面図である。また、図３は図１におけるＡＡの断面図である。なお、図３における斜線は断面を示したものではなく、着脱用素材５ａ、５ｂが設けられていることを示している。
【００１２】
（構成）
ギターアンプキャビネット１（以下適宜「キャビネット１」と称する）は外観視略直方体の箱体に構成され、その前面側には金属ネット２を介して内蔵スピーカー部６からの音が放音されるように構成されている。なお、本実施形態においては特徴部を把握容易とするため、ギターアンプキャビネット１の内部に設けられている各種のパーツ（電子部品、各種部材等）や、キャビネット１の上部に設けられた操作子、プラグ端子等は図示省略している。
【００１３】
図２、図３に示すようにキャビネット１の背面側においては、横長の長方形状に開口部３が設けられている。開口部３のキャビネット１の内側には外観視角材状の平面部材１０と、同じく外観視角材状の平面部材１１とが縦方向で重なるように固定されていて、平面部材１１はキャビネット１の内側から開口部３を臨むように縦長に固定されている。そして、平面部材１１の開口部３側には横方向の２つの溝４ａ、４ｂが形成されている。なお、平面部材１０、１１は開口部３を横断するようにはされておらず、図２に示すようにその一部が、開口部３の左右両端から若干はみ出し、そのはみ出し量は、溝４の横方向長さが適切になり且つ、着脱用部材５ａ、５ｂの張り付けが適切に行えるように設定されている。
【００１４】
そして、キャビネット背面側から見える溝４が設けられた平面部材１１のこの溝４を除く部分には横方向に面型の着脱用素材５ａ、５ｂが設けられている。この着脱用素材は薄肉で互いに他と結合すると共に、その結合を解くには引っ張れば良い素材であり、例えば（面チャックであるマジックテープ（登録商標））である。そして、閉塞用部材２０の片面においても、平面部材１１における着脱用素材チャック５ａ、５ｂに対応する位置に横長の面型の着脱用素材部材５ｃ、５ｄが設けられている。なお、閉塞用部材２０の面の大きさは、開口部の大きさよりも若干小さくして指先を入れて閉塞用部材２０を着脱作業可能に構成している。
【００１５】
（作用）
次に作用を説明する。通常は、閉塞用部材２０は開口部３に嵌め込まれている。このとき平面部材１１に設けられている着脱用素材５ａ、５ｂと、閉塞用部材２０の片面に設けられている着脱用素材５ｃ、５ｄとが結合された状態になっている。この状態でスピーカー部６が振動すると、面型チャックの結合部が緩衝作用をおこし、各種パーツの振動が吸収されるとともに、従来の蝶番等の振動が皆無となる。
【００１６】
次に開閉用部材２０を外す場合には、閉塞用部材２０と板状部材１１との結合を解けば良い。すると開口部３から手をキャビネット1内に入れて、内部のパーツを交換したり、電池の交換をしたりすることが可能となる。また、蓋を外して用いることにより、背面開放型スピーカキャビネットとなり、蓋をすることにより密閉型スピーカキャビネットとなるため、演奏に合わせて音色を選択することが可能になる。
【００１７】
したっがって、キャビネット１の背面側に設けた横長の開口部３をキャビネット内側から臨む状態で横方向に延在するように設けた平面部材１１と、この開口部３に嵌るようにされた横長の閉塞用部材２０との双方に着脱用素材を設けて着脱可能としたので、キャビネット背面部における開閉を簡単な構造で実現可能とすると共に、面型の着脱用素材の緩衝作用によって各種パーツの共振作用も抑制することが可能となる。
【００１８】
（他の形態）
図５に示すようにこの実施形態では、平面部材１１の開口部３側に設けた２つ溝４ａ、４ｂに、薄肉の直方体状の閉塞用部材２０が嵌め込み可能に構成されている。即ち、溝４ａ、４ｂの溝幅に対して、閉塞用部材２０の厚みが若干薄く形成されて、開閉用部材２０が溝４ａ、溝４ｂのいずれにも嵌る構成とされている。
【００１９】
図５（ａ）は溝４ａに閉塞用部材２０を嵌め込んだことを示す断面図であり、図５（ｂ）は４ｂに閉塞用部材２０を嵌め込んだことを示す断面図である。この例では、水平面に対する背面の傾斜角度α１は、α２よりも小さくなるように設定されている。これら水平面に対する背面の傾斜角度は溝４の位置や閉塞用部材２０の厚みや長さによっていかようにも変更しうる。
【００２０】
したがって簡単な構造でキャビネット１の傾きを変えることができ、例えば放音方向が演奏者の足元傍となるようにして演奏者が音を聞き易くすることができる。なお、この例は溝が２つの場合であるが、３個以上溝を設けることや１個のみ溝を設ける構成としても良い。  
【産業上の利用可能性】
【００２１】
以上説明してきたように、不快な楽音を低減したギターアンプキャビネットを提供することができる。
【図面の簡単な説明】
【００２２】
【図１】ギターアンプキャビネット１の外観斜視図である。
【図２】ギターアンプキャビネット１の背面図である。
【図３】図１におけるＡＡの断面図である。
【図４】従来のギターアンプキャビネット１００におけるＡＡの断面図である。
【図５】ギターアンプキャビネット１の他の作用の説明図である。
【符号の説明】
【００２３】
１  ギターアンプキャビネット
２  金属ネット
３  開口部
４（４ａ、４ｂ）  溝
５（５ａ、５ｂ、５ｃ、５ｄ）  着脱用素材
６  スピーカー部
１０  平板部材
１１  平板部材
２０  閉塞用部材
１００  キャビネット筐体
１０１  扉
【図１】
0004641484.tif 000002
【図２】
0004641484.tif 000003
【図３】
0004641484.tif 000004
【図４】
0004641484.tif 000005
【図５】
0004641484.tif 000006